(57)【要約】      （修正有）【課題】現場での大掛かりなグリーンハウス化工事が不要であるばかりでなく、分割移動が可能である移動式グローブボックス。【解決手段】透明又は半透明の箱体２と、該箱体２に被せる透明又は半透明の蓋３と、前記箱体２の上縁２０に開口部９を有する左右一対の汚染配管導入溝８ａ，８ｂと、前記箱体２の側面又は後端面に装着した一対のグローブ１３と、前記箱体２の後端部に設けた吊りベルト１７と、前記箱体２に設けたロック装置４と、前記蓋３に設けた吸引ダクト装着口１８とからなり、かつ、前記箱体２内に、予め、切断工具と、ドレン収容容器と、汚染配管切断口密閉機材を収容する。【選択図】図１
2011011274.tif 000002
【特許請求の範囲】
【請求項１】
透明又は半透明の箱体と、該箱体に被せる透明又は半透明の蓋と、前記箱体の上縁に開口部を有する左右一対の汚染配管導入溝と、前記箱体の側面又は後端面に装着した一対のグローブと、前記箱体の後端部に設けた吊りベルトと、前記箱体に設けたロック装置と、前記蓋に設けた吸引ダクト装着口とからなり、かつ、前記箱体内に、予め、切断工具と、ドレン収容容器と、汚染配管切断口密閉機材を収容することを特徴とする移動式グローブボックス。
【請求項２】
汚染配管切断口密閉機材を、少なくとも切断口に詰める止め栓と、汚染配管の切断口に被せる袋と、該袋を固定する粘着テープにより構成することを特徴とする請求項１記載の移動式グローブボックス。
【請求項３】
汚染配管導入溝の下端部にＬ形又はＪ形の箱体保持部を設けることを特徴とする請求項１記載の移動式グローブボックス。
【請求項４】
汚染配管導入溝を可撓性のシール板で被覆することを特徴とする請求項１又は３記載の移動式グローブボックス。
【発明の詳細な説明】
【技術分野】
【０００１】
本発明は、現場における大掛かりなグリーンハウス化工事が不要であるばかりでなく、分割移動が可能である移動式グローブボックスに関するものである。
【背景技術】
【０００２】
ＰＣＢ処理施設の解体工事は、数年後に、その需要が予想されるが、ＰＣＢ処理施設の解体時に、ＰＣＢに汚染された汚染配管を切断すると、必ず、ドレンがしみ出てくることを想定した配管切断作業が必要になる。
【０００３】
従って、汚染配管の切断時に、汚染物質が作業員及び作業環境に悪影響を及ぼさないように、最善の配慮をして汚染配管を切断することが要求されている。この場合、下記の二つのケースが考えられる。
【０００４】
ケース１：配管群を包む大きなグリーンハウスを設置して、その中で汚染配管の切断を行うケース。この場合、グリーンハウス内にある機器は、汚染エリア内の取り扱い基準（ＰＣＢ蒸気が存在する雰囲気にある機材）となり、より厳しい取り扱いとなる。この場合は、切断後の除染作業量が多く、経済的に負担が大きい。
【０００５】
ケース２：汚染配管の切断箇所にグリーンハウスを構築するケース。この場合は、汚染配管の切断箇所が多数になることから、グリーンハウスも多数必要になる等、大掛かりになる。また、切断箇所を囲うビニールシートが汚染物になり、汚染物の量が増大する。また、グリーンハウス内で切断作業を行うことになり、作業員の保護具の規制レベルがアップし、保護具の費用もかかる。更に、グリーンハウスから外に出る場合は、着替える必要があり、この着替えに要する空間、及び手間もかかる。
【０００６】
他方、透明または半透明の柔軟なシートを主体とする袋状のバッグに一対のグローブを設けたグローブバッグが提案されている（例えば、特許文献１参照。）。しかし、ＰＣＢの漏洩を防ぐために、バッグ内を減圧すると、袋状のバッグが潰れるので、ＰＣＢに汚染された機器の解体作業に支障が生ずる。
【先行技術文献】
【特許文献】
【０００７】
【特許文献１】特開２００３−２００１４８号公報
【発明の概要】
【発明が解決しようとする課題】
【０００８】
本発明は、上記の問題を解決するためになされたものであり、その目的は、現場における大掛かりなグリーンハウス化工事が不要であるばかりでなく、分割移動が可能である移動式グローブボックスを提供することにある。
【課題を解決するための手段】
【０００９】
本発明の移動式グローブボックスは、透明又は半透明の箱体と、該箱体に被せる透明又は半透明の蓋と、前記箱体の上縁に開口部を有する左右一対の汚染配管導入溝と、前記箱体の側面又は後端面に装着した一対のグローブと、前記箱体の後端部に設けた吊りベルトと、前記箱体に設けたロック装置と、前記蓋に設けた吸引ダクト装着口とからなり、かつ、前記箱体内に、予め、切断工具（例えば、鋸）と、ドレン収容容器と、汚染配管切断口密閉機材を収容することを特徴としている。
【００１０】
本発明の移動式グローブボックスは、少なくとも汚染配管切断口密閉機材を、切断口に詰める止め栓と、汚染配管の切断口に被せる袋と、該袋を固定する粘着テープにより構成したことを特徴としている。
【００１１】
本発明の移動式グローブボックスは、前記汚染配管導入溝の下端部にＬ形又はＪ形の箱体保持部を設けることを特徴としている。
【００１２】
本発明の移動式グローブボックスは、前記汚染配管導入溝を可撓性のシール板で被覆することを特徴としている。
【発明の効果】
【００１３】
本発明によれば、現場における大掛かりなグリーンハウス化工事が不要になる。また、グローブボックスの分割運搬が可能になるため、所定の箇所で集中処理が可能である。また、汚染配管の小切りが可能になるため、無害化施設への運搬が容易である。また、汚染配管が小切りのため、小規模の施設で処理可能であり、無害化施設が小規模で済む。
【００１４】
更に、ＰＣＢ汚染物で保管して溶融処理すると、約３千円／ｋｇ程度かかるが、汚染配管を小切りにすることにより、従来のＰＣＢ処理施設で処理可能になり、最終処理物は、産廃（リサイクル品）で処分可能である。このため、解体の処理コストを大幅に削減できる。
【図面の簡単な説明】
【００１５】
【図１】本発明に係る移動式グローブボックスの一部断面を含む斜視図である。
【図２】本発明に係る移動式グローブボックス内の概略図である。
【図３】（ａ）Ｌ形の箱体保持部の正面図、（ｂ）Ｊ形の箱体保持部の正面図である。
【図４】汚染配管導入溝を利用して箱体内に汚染配管の切断部分を取り込んだ状態を示す概略図である。
【図５】スモークテストの説明図である。
【図６】汚染配管の切り口を密閉する密閉作業説明図である。
【図７】汚染配管の切断作業終了説明図である。
【発明を実施するための形態】
【００１６】
以下、本発明に係る実施の形態を図面を用いて説明する。
図１に示すように、本発明に係る移動式グローブボックス１は、直方体形であり、主として、透明又は半透明の合成樹脂製の箱体２と、箱体２に脱着自在に被せる透明又は半透明の合成樹脂製の蓋３により構成されている。
【００１７】
蓋３は、通常、箱体２に設けた起伏式のロック装置４によって箱体２に密着されている。このロック装置４は、箱体２の前後両端面２１，２２に設けられ、箱体２に起伏自在に装着した一対のアーム５，５の間に設けた横棒部６が、蓋３に設けた横リブ７の横溝（図示せず）に係合するようになっている。
【００１８】
箱体２は、横長の汚染配管を取り込むため、その左右両側面２３，２４に左右一対の汚染配管導入溝８ａ及び８ｂを設けている。汚染配管導入溝８ａ，８ｂは、電動式セイバーソー（切断工具）１４による汚染配管の切断に支障のない範囲で、箱体２の前端寄りに設けることが望ましい。汚染配管導入溝８ａ，８ｂは、縦長の直線状の溝であり、その上端開口部９は、箱体２の上縁２０に開口している。また、汚染配管導入溝８ａ，８ｂは、可撓性のシール板１０で被覆するが、汚染配管の導入を妨げないように切れ目１１を設けている。
【００１９】
また、箱体２は、その後端面２２に一対のグローブ１３，１３を装着すると共に、側面に電動式セイバーソー１４のコード１５を貫通させる貫通孔１６を設けている。この貫通孔１６は、リング状のシール１２を具備し、貫通孔１６と電動式セイバーソー１４に接続している電気コード１５との隙間を無くすようになっている。グローブ１３，１３は、箱体２の左右両側面２３，２４に装着してもよい。
【００２０】
また、箱体２は、その後部両側面２３，２４にわたる吊りベルト１７を設けている。この吊りベルト１７を首に掛けることにより、グローブボックス１を保持しながら汚染配管を切断することができる。更に、蓋３に吸引ダクト装着口１８を設けている。
【００２１】
その上、図２に示すように、箱体２内には、予め、汚染配管を切断するための電動式セイバーソー１４と、ドレンを収容する密閉容器２５と、汚染配管切断口密閉機材３０を収容している。密閉容器２５は、容器本体２５ａと密閉蓋２５ｂにより構成されている。
【００２２】
汚染配管切断口密閉機材３０としては、汚染配管の切断口に詰め込む複数の止め栓２６と、汚染配管の切断口に被せる複数のビニール袋２７と、ビニール袋を固定するビニールテープ（粘着テープ）２８と、粘着テープを切断するカッター２９を挙げることができる。しかし、ビニールテープ２８を、予め、所定の長さにカットしておくと、カッター２９を省略することができる。
【００２３】
上記汚染配管導入溝８ａ，８ｂは、図３（ａ）及び図３（ｂ）に示すように、その下端部にＬ形の箱体保持部３１、或いは、Ｊ形の箱体保持部３２を設けることが望ましい。このＬ形の箱体保持部３１、あるいは、Ｊ形の箱体保持部３２を汚染配管４０に掛けることにより、グローブボックス１の重量の一部を汚染配管４０に担持させることができる。
【００２４】
次に、汚染配管の切断処理作業について説明する。
【００２５】
（１）汚染配管の切断するには、先ず、グローブボックス１の蓋３を箱体２から取り外す。
【００２６】
（２）次に、グローブボックス１の箱体２を操作して左右一対の汚染配管導入溝８ａ，８ｂの上端開口部９を横方向に長い汚染配管４０の直下に位置させるとともに、図４に示すように、箱体２を持ち上げて汚染配管４０の切断箇所４１を箱体２内に取り込む。
【００２７】
（３）次に、箱体２に蓋３を被せた後、ロック装置４によって箱体２に蓋３を密着させると共に、蓋３の吸引ダクト装着口１８に吸引ダクト３４を装着してグローブボックス１内を減圧する。吸引ダクト３４は、解体中のＰＣＢ処理施設の既存の吸引ダクト３４を利用する。
【００２８】
（４）次に、図５に示すように、スモークテスター４２を用いてスモークテスター４２の煙Ｓが汚染配管導入溝８ａ，８ｂなどからグローブボックス１内を吸い込まれるのを確認する。スモークテスター４２の煙Ｓは、例えば、塩化第２スズ（ＳｎＣｌ4 ）と軽石（１０メッシュ）で構成され、容易に目視できる。
【００２９】
（５）次に、吊りベルト１７を首に掛けてグローブボックス１を保持した後、グローブ１に差し込んだ両手で電動式セイバーソー１４を掴んで汚染配管４０の切断箇所４１を切断する。その際、汚染配管４０の切断箇所４１の下方に密閉蓋２５ｂを外した容器本体２５ａを配置し、汚染配管４０から滴下するドレンを収容する。
【００３０】
（６）汚染配管４０の切断後、図６に示すように、汚染配管４０の切断箇所４１を前後にずらして汚染配管４０の切り口４３に止め栓２６に差し込む。その後、汚染配管４０の切り口４３にビニール袋２７を被せ、ビニールテープ２８でビニール袋２７の開口端を汚染配管４０に固定する。ビニールテープ２８の端は、カッター２９によってカットする。その後、密閉蓋２５ｂによってドレン収容容器本体２５ａの密閉蓋２５ｂを閉じる。
【００３１】
（７）次に、グローブボックス１の箱体２から蓋３を外した後、箱体２を下方に引き下げて汚染配管４０，４０からグローブボックス１の箱体２を取り除く（図７参照。）。
【００３２】
（８）次に、吸引ダクト３４を外した後、グローブボックス一式を次の汚染配管切断箇所に移動させ、上記（２）〜（７）の手順にしたがって汚染配管の切断箇所を切断する。汚染配管４０のカット長は、後処理のことを考えて設定するが、例えば、約４〜７ｍ程度が望ましい。
【符号の説明】
【００３３】
２  箱体
３  蓋
４  ロック装置
８ａ，８ｂ  汚染配管導入溝
９  開口部
１３  グローブ
１４  切断工具
１７  吊りベルト
１８  吸引ダクト装着口
２０  上縁
２２  箱体の後端面
２５  ドレン収容容器
３０  汚染配管切断口密閉機材
【図１】
2011011274.tif 000003
【図２】
2011011274.tif 000004
【図３】
2011011274.tif 000005
【図４】
2011011274.tif 000006
【図５】
2011011274.tif 000007
【図６】
2011011274.tif 000008
【図７】
2011011274.tif 000009